【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
複数のアクセス技術(AT)を提供する多元アクセスネットワークであり、多元アクセス管理エンティティ(MAM)と、前記複数のアクセス技術に従った複数のアクセス(A)に関連付けられた複数の汎用リンクレイヤエンティティ(GLL)とを有する多元アクセスネットワークにおける、アクセス決定並びにアクセス構成を有するアクセス選択方法であって、
・  汎用リンクレイヤエンティティ(GLL)が、前記アクセス(A)の複数の構成に対応する、複数の汎用性能メトリック(GPM)を決定するステップと、
・  前記汎用リンクレイヤエンティティ(GLL)が、前記アクセス(A)の前記複数の構成に対応する、決定された、複数の汎用性能メトリック(GPM)を、前記多元アクセス管理エンティティへ送信するステップと、
・  前記多元アクセス管理エンティティ(MAM)が、前記決定された複数の汎用性能メトリック(GPM)から、どのアクセス(A)が、アプリケーション／ベアラの要件に適した構成を提供するかを決定するステップと、
・  前記多元アクセス管理エンティティ(MAM)が、前記決定された構成を、前記決定されたアクセス(A)に関連付けられた前記汎用リンクレイヤエンティティ(GLL)へ送信するステップと、
・  前記決定された汎用リンクレイヤエンティティ(GLL)が、前記多元アクセス管理エンティティ(MAM)から受信した前記決定された構成に基づいて、前記アクセス(A)を構成するステップとを有することを特徴とする方法。
【請求項２】
さらに、前記決定されたアクセス(A)に関連付けられた前記汎用リンクレイヤエンティティ(GLL)が、前記決定された構成に関する汎用性能メトリック(GPM)を送信するステップを有することを特徴とする請求項１記載の方法。
【請求項３】
さらに、
・  前記多元アクセス管理エンティティ(MAM)が、ベアラの要件を、汎用リンクレイヤエンティティ(GLL)が前記アクセス(A)の１つ又は複数の構成に対応する１つ又は複数の汎用性能メトリック(GPM)を決定する前に、１つ又は複数の汎用リンクレイヤエンティティ(GLL)へ送信するステップと、
・  ベアラの要件を受信している汎用リンクレイヤエンティティ(GLL)が、前記受信したベアラの要件に基づいて１つ又は複数の汎用性能メトリック(GPM)を決定するステップとを有し、前記受信したベアラの要件に合致しない汎用性能メトリック(GPM)は、その後報告されなくなることを特徴とする請求項１又は請求項２記載の方法。
【請求項４】
前記汎用リンクレイヤエンティティ(GLL)が、前記アクセス(A)の１つ又は複数の構成に対応する１つ又は複数の汎用性能メトリック(GPM)を、解析的な導出によって決定するステップをさらに有することを特徴とする請求項１乃至請求項３のいずれか１項にに記載の方法。
【請求項５】
前記汎用リンクレイヤエンティティ(GLL)が、前記アクセス(A)の１つ又は複数の構成に対応する１つ又は複数の汎用性能メトリック(GPM)を、１つ又は複数のマッピングテーブルを用いて決定するステップをさらに有することを特徴とする請求項１乃至請求項４のいずれか１項に記載の方法。
【請求項６】
複数のアクセス技術(AT)を提供する多元アクセスネットワークにおけるアクセス選択のための汎用性能メトリック(GPM)を提供する汎用リンクレイヤエンティティ(GLL)のための方法であって、
・  アクセス(A)の複数の構成に対応する複数の汎用性能メトリック(GPM)を決定するステップと、
・  前記アクセス(A)の前記複数の構成に対応する、決定された複数の汎用性能メトリック(GPM)を、多元アクセス管理エンティティ(MAM)へ送信するステップと、
・  前記多元アクセス管理エンティティ(MAM)から、決定された構成を受信するステップと、前記多元アクセス管理エンティティ(MAM)から受信した前記決定された構成に基づいて、前記アクセス(A)を構成するステップとを有することを特徴とする方法。
【請求項７】
さらに、前記決定された構成に関する汎用性能メトリック(GPM)を送信するステップを有することを特徴とする請求項６記載の方法。
【請求項８】
さらに、
・  前記多元アクセス管理エンティティ(MAM)からベアラの要件を受信するステップを有し、
前記１つ又は複数の汎用性能メトリック(GPM)は、前記受信したベアラの要件に基づいて決定され、前記受信したベアラの要件に合致しない汎用性能メトリックはその後で報告されなくなることを特徴とする請求項６又は請求項７記載の方法。
【請求項９】
前記アクセス(A)の１つ又は複数の構成に対応する１つ又は複数の汎用性能メトリック(GPM)が、解析的な導出に基づいて決定されることを特徴とする請求項６乃至請求項８のいずれか１項に記載の方法。
【請求項１０】
前記アクセス(A)の１つ又は複数の構成に対応する１つ又は複数の汎用性能メトリック(GPM)が、１つ又は複数のマッピングテーブルに基づいて決定されることを特徴とする請求項６乃至請求項８のいずれか１項に記載の方法。
【請求項１１】
複数のアクセス技術(AT)を提供する多元アクセスネットワークにおけるアクセス選択のための多元アクセス管理エンティティ(MAM)のための方法であって、
・  １つ又は複数のアクセス(A)の複数の構成に対応する複数の決定された汎用性能メトリック(GPM)を、１つ又は複数の汎用リンクレイヤエンティティ(GLL)から受信するステップであり、アクセス(A)は汎用リンクレイヤエンティティ(GLL)と関連付けられており、
・  前記受信した複数の汎用性能メトリック(GPM)から、アプリケーション／ベアラの要件に適した構成(GPM)を提供するアクセス(A)がどれかを決定するステップと、前記決定された構成を、前記決定されたアクセス(A)に関連付けられた前記汎用リンクレイヤエンティティ(GLL)へ送信し、前記決定された汎用リンクレイヤエンティティ(GLL)に前記多元アクセス管理エンティティ(MAM)から受信した前記決定された構成に基づいて前記アクセス(A)を構成させるステップとを有することを特徴とする方法。
【請求項１２】
さらに、ベアラの要件を１つ又は複数の汎用リンクレイヤエンティティ(GLL)へ送信するステップを有することを特徴とする請求項１１記載の方法。
【請求項１３】
複数のアクセス技術(AT)を提供する多元アクセスネットワークにおけるアクセス選択のための装置であって、前記複数のアクセス技術(AT)に従った複数のアクセス(A)を備える装置が、
・  前記アクセス(A)の１つ又は複数の構成に対応する複数の汎用性能メトリック(GPM)を決定する手段(GLL PU)を有し、
・  前記決定された複数の汎用性能メトリック(GPM)が、前記アクセス(A)の複数の構成に対応し、
・  前記複数の汎用性能メトリック(GPM)から、アプリケーション／ベアラの要件に適した構成(GPM)をどのアクセス(A)が提供するかを決定するように構成されるアクセス選択手段(PU MAM)を有し、
・  前記複数の汎用性能メトリック(GPM)を決定する手段(GLL PU)が、前記決定された構成に基づいてアクセス(A)を構成するように構成されることを特徴とする装置。
【請求項１４】
複数のアクセス技術(AT)を提供する多元アクセスネットワークにおけるアクセス選択のための汎用性能メトリック(GPM)を提供するためのモジュール(GLL)であって、
・  前記アクセス(A)の複数の構成に対応する複数の汎用性能メトリック(GPM)を決定する手段(GLL PU)と、
・  前記アクセス(A)の前記複数の構成に対応する、前記決定された複数の汎用性能メトリック(GPM)を、多元アクセス管理エンティティ(MAM)へ送信する手段(I/O-U 1)と、
・  前記多元アクセス管理エンティティ(MAM)から、決定された構成を受信する手段(I/O-U 1)とを有し、
・  前記複数の汎用性能メトリック(GPM)を決定する手段(GLL PU)が、前記多元アクセス管理エンティティ(MAM)によって受信された前記決定された構成に基づいて前記アクセス(A)を構成するように構成されることを特徴とするモジュール。
【請求項１５】
複数のアクセス技術(AT)を提供する多元アクセスネットワークにおけるアクセス選択のためのモジュール(MAM)であって、
・  アクセス(A)の複数の構成に対応する複数の決定された汎用性能メトリック(GPM)を、１つ又は複数の汎用リンクレイヤエンティティ(GLL)から受信する手段(I/O-U 1)と、
・  前記受信された複数の汎用性能メトリック(GPM)から、アプリケーション／ベアラの要件に適した構成をどのアクセス(A)が提供するかを決定する手段(MAM PU)と、
・  前記決定された構成を前記決定された汎用リンクレイヤエンティティ(GLL)に送信し、前記決定された汎用リンクレイヤエンティティに、前記多元アクセス管理エンティティ(MAM)によって報告された前記決定された構成に基づいて前記アクセス(A)を構成させる手段とを有することを特徴とするモジュール。
【請求項１６】
コンピュータに、請求項１乃至請求項１２のいずれか１項に記載された方法の各ステップを実行させるためのプログラム。